(57)【要約】      （修正有）【課題】三味線を保管または仮置きする場合に、三味線立てや三味線スタンドを必要とせず、その場で即座に対応出来る三味線を提供する。【解決手段】棹と胴１１０が連結されている三味線１００Ｅは、胴１１０に連結可能な調整部材１６０を設ける。調整部材は平坦な面を有し、所定の場所に糸孔１６１を設け、三味線の各々の糸１３０が糸孔を経由して張設される。【選択図】図１１
2019045833.tif 000002
【特許請求の範囲】
【請求項１】
棹１２０と胴１１０が連結されている三味線において、
前記胴の端面１１６に糸孔１１２が形成されており、
三味線の各々の糸が前記糸孔１１２を経由して張設されており、
三味線の縦置きが可能であることを特徴とする三味線。
【請求項２】
棹の中木１２１を介して、棹１２０と胴１１０が連結されている三味線において、
前記中木の先端部１２２が胴の端面１１６の外部に突出しておらず、
三味線の縦置きが可能であることを特徴とする三味線。
【請求項３】
前記胴１１０に連結可能な調整部材１６０が設けられ、
前記調整部材は平坦な面を有し、
前記中木の先端部１２２が調整部材１６０の外側壁部１６６から突出していないことを特徴とする請求項１または２に三味線。
【請求項４】
前記調整部材１６０に糸孔１６１が形成されており、
三味線の各々の糸が前記糸孔１２３を経由して張設されていることを特徴とする請求項３に記載の三味線。
【請求項５】
前記胴の端面１１６に糸孔１１２が形成されており、
三味線の各々の糸が前記糸孔１１２を経由して張設されていることを特徴とする請求項２または３に記載の三味線。
【請求項６】
前記中木１２１に糸孔１２３が形成されており、
三味線の各々の糸が前記糸孔１２３を経由して張設されていることを特徴とする請求項２または３に記載の三味線。
【請求項７】
前記調整部材１６０には、胴１１０の底面よりも下方に突出した突出部１６４が形成されていることを特徴とする請求項３または４のいずれか一つに記載の三味線。
【請求項８】
前記調整部材１６０の端部に凹部１６５が形成されていることを特徴とする請求項３、請求項４、請求項７のいずれか一つに記載の三味線。
【請求項９】
三味線の胴の側面１１７と、糸巻の端面１８１が、ほぼ同一平面上にあり、
三味線１００の横置きが可能であることを特徴とする請求項１乃至８のいずれか一つに記載の三味線。
【請求項１０】
三味線の端面１１６と糸孔１１２が形成されている面との間に、糸の直径以上の大きさの段差１１５が設けられていることを特徴とする請求項１乃至９のいずれか一つに記載の三味線。
【発明の詳細な説明】
【技術分野】
【０００１】  本発明は、三味線に関するものである。
【背景技術】
【０００２】  三味線を保管または仮置きする場合、三味線立てや三味線スタンドが用いられてきた。
【発明の概要】
【発明が解決しようとする課題】
【０００３】  従来の三味線は、中木先に音緒を掛けて、音緒に糸の端部を結び付けていた為、直立させた状態（縦置き状態）で置くことが困難であった。【０００４】  さらに、従来の三味線は、横置き保管や平置きの積み重ね保管を考慮した作りになっておらず、安定的に横置きや平置きの積み重ねをすることが難しかった。【０００５】  また、三味線立てや三味線スタンドは、三味線とは別々に持ち運びする必要があり、三味線の使用者の手元近くに、三味線立てや三味線スタンドが存在しない場合には、代用品を探す手間が生じた。【０００６】  本発明は、三味線を保管または仮置きする場合に、三味線立てや三味線スタンドを必要とせず、その場で即座に対応出来る三味線を提供する。
さらに、保管場所の省スペース化にも寄与できる三味線を提供する。
【課題を解決するための手段】
【０００７】  上記の目的を達成するため、本発明は、棹１２０と胴１１０が連結されている三味線において、前記胴の端面１１６に糸孔１１２が形成されており、三味線の各々の糸が前記糸孔１１２を経由して張設されており、三味線の縦置きが可能である三味線を提供する。【０００８】  または、棹の中木１２１を介して、棹１２０と胴１１０が連結されている三味線において、前記中木の先端部１２２が胴の端面１１６の外部に突出しておらず、三味線の縦置きが可能である三味線を提供する。【０００９】  前記胴１１０に連結可能な調整部材１６０が設けられ、前記調整部材は平坦な面を有し、前記中木の先端部１２２が調整部材１６０の外側壁部１６６から突出していないことが好ましい。【００１０】  前記調整部材１６０に糸孔１６１が形成されており、三味線の各々の糸が前記糸孔１２３を経由して張設されていることが好ましい。【００１１】  前記胴の端面１１６に糸孔１１２が形成されており、三味線の各々の糸が前記糸孔１１２を経由して張設されていることが好ましい。【００１２】  前記中木１２１に糸孔１２３が形成されており、三味線の各々の糸が前記糸孔１２３を経由して張設されていることが好ましい。【００１３】  前記調整部材１６０には、胴１１０の底面よりも下方に突出した突出部１６４が形成されていることが好ましい。【００１４】  前記調整部材１６０の端部に凹部１６５が形成されていることが好ましい。【００１５】  三味線の胴の側面１１７と、糸巻の端面１８１が、ほぼ同一平面上にあり、
三味線１００の横置きが可能であることが好ましい。【００１６】  三味線の端面１１６と糸孔１１２が形成されている面との間に、糸の直径以上の大きさの段差１１５が設けられていることが好ましい。
【発明の効果】
【００１７】  三味線を直立させた状態（縦置き状態）で、保管または仮置きすることが出来ようになる。横置きや平置きの積み重ねを安定的に出来るようになり、保管場所の省スペース化を図ることが出来る。【００１８】  演奏者の手元に三味線スタンドがない場合でも、即座に三味線を仮置きさせることが可能である。特にスペアの三味線の多い演奏者にとっては、三味線の交換を瞬時に行うことを可能にさせ、演奏者の負担を大きく軽減させるものである。
【図面の簡単な説明】
【００１９】
【図１】三味線１００の部分斜視図である。
【図２】図１の断面図である。
【図３】三味線の変形例１００Ａの部分斜視図である。
【図４】三味線の変形例１００Ｂの部分斜視図である。
【図５】三味線の変形例１００Ｃの部分斜視図である。
【図６】図５の断面図である。
【図７】三味線の変形例１００Ｄの部分斜視図である。
【図８】図７の断面図である。
【図９】中木１２１の拡大斜視図である。
【図１０】中木１２１（変形例）の拡大斜視図である。
【図１１】三味線の変形例１００Ｅの部分斜視図である。
【図１２】図１０の断面図である。
【図１３】三味線の変形例１００Ｆの部分斜視図である。
【図１４】三味線の変形例１００Ｇの部分斜視図である。
【図１５】図１４の一部拡大図である。
【図１６】三味線の変形例１００Ｂを縦置きさせた図
【図１７】三味線の変形例１００Ｂを横置きさせた図
【図１８】三味線の変形例１００Ｅを平置きさせた図
【図１９】三味線の変形例１００Ｇを平置きさせた図
【図２０】図１９の一部拡大図である。
【発明を実施するための形態】
【００２０】  図１は三味線１００の部分斜視図であり、図２は図１の断面図である。
三味線１００は、胴１１０と棹１２０がと天神１２５と皮１１２と糸１３０と駒１４０と糸巻き１８０を備えているが、図１から図８、および図１１から図１４は、天神側を省略しており、胴１１０を中心とする図になっている。
【００２１】  図示しているように、棹１２０と胴１１０が連結されている。胴１１０は、端面１１６と側面１１７と底面１１８を有し、端面１１６には糸孔１１２が形成されており、糸孔１１２は、糸１３０が通過する上での十分な大きさを有している。
糸１３０は、この糸孔１１２を経由して、糸巻き１８０に結び付けられ、三味線１００に張設されている。
【００２２】  図２では、棹１２０と胴１１０の間にダボ１９０が介装されており、棹１２０と胴１１０が連結した状態になっている。棹１２０と胴１１０とを連結させる方法には、上記の他に、ネジ等の金具で連結させたり、接着剤で連結させることも可能である。
【００２３】  端面１１６の表面の形状は、略平坦であり、この面を載置面として、床などに置くことが可能である。すなわち、三味線１００を縦置きすることが可能となる。
【００２４】  ここで言う縦置きとは、胴１１０の端面１１６が床面に概接地し、三味線１００が自立可能にほぼ直立出来ることを意味する。
また、後述する変形例においては、載置部材１５０の載置部１５１、調整部材１６０の外側壁部１６６が、床面に概接地し、三味線が直立することを意味する。
【００２５】  概接地する場合には、完全な平坦（フラット）面であることを必要としない。載置面において糸１３０の厚みなどによって僅かな傾き（微量な傾斜）が生じていても、三味線をほぼ直立に置くことが出来る。
また、自立可能とは、使用者の手から離れた状態においても維持できることを指す。
【００２６】  胴１１０の底部には、サウンドホール１１４が設けられている。サウンドホール１１４は、演奏する音の響きを調節する役割を有している。
このサウンドホール１１４があることで、胴１１０の内部に指先を入れて操作することが可能になる。糸孔１１２に糸１３０を挿通させる場合、このサウンドホール１１４があると糸通し作業を容易化させることが出来る。
【００２７】  糸１３０の結び目１３１が、胴１１０の内部に入ることで、結び目１３１を他者の目に触れさせず、三味線全体の美観の向上に繋げることが出来る。
【００２８】  図３は三味線の変形例１００Ａの部分斜視図である。図示しているように、糸孔１１２が形成されている面と、側面１１７との間に段差が設けられている。この段差の厚みは、糸１３０の直径よりも大きい。
【００２９】  図１で示した端面１１６よりも、図３で示す端面１１６の方が、糸１３０により生じる凹凸（でこぼこ）部分を抑えて、よりフラットな面が形成される。
【００３０】  また、糸１３０に沿って、糸１３０の直径よりも大きな糸溝を端面１１６に設けることで、糸１３０による凹凸部分を抑えて、よりフラットな面が形成される。
このフラットになった端面１１６を載置面とすることで、より安定的に置くことが可能になる。
【００３１】  図４は三味線の変形例１００Ｂの部分斜視図である。図示しているように、載置部材１５０が、胴１１０の端面１１６に装着されている。装着とは、固着することも可能であり、着脱可能に取り付けることも可能であることを意味する。
【００３２】  この載置部材１５０の厚さ方向（三味線１００の長さ方向）の大きさは、糸１３０の直径よりを上回る大きさを有している。
【００３３】  図示しているものは、端面１１６の四つの隅の近傍に、それぞれ載置部材１５０が取り付けられている。載置部材１５０が３個以上あれば、安定的に載置させることが可能である。載置部材１５０の端面に載置部１５１があり、縦置きする場合、この載置部１５１が床と接地して、三味線を支える役割をする。
【００３４】  図示されたものは一例であり、載置部材１５０には、様々な大きさ・形状が可能である。また、載置部材１５０は、ゴム、金属、プラスチック、合成樹脂、合成紙など様々な種類の素材が可能である。
【００３５】  この載置部材１５０を、胴１１０の飾りとして用いることも出来、三味線の意匠性を高めることも可能である。
【００３６】  図５は三味線の変形例１００Ｃの部分斜視図であり、図６は図５の断面図である。図示しているように、棹１２０の一方の先端部には中木１２１を備えている。
【００３７】  三味線１００Ｃにおいて、胴１１０と棹１２０は中木１２１を介して連結されており、胴１１０の上部に皮１１１が張られており、端面１１６には、糸孔１１２と連結孔１１３が形成されている。連結孔１１３は、中木１２１を嵌通または挿通させるのに必要な大きさを有している。
【００３８】  各々の糸は、糸孔１１２を経由して、糸巻１８０に連結され、三味線に張設されている。図６で示すように、中木１２１の先端部１２２は、連結孔１１３に嵌通されているが、胴１１０の端面１１６の外部に突出していない。
ここでも糸１３０の端部近傍にある結び目１３１は、胴１１０の内部にある。
【００３９】  図７は三味線の変形例１００Ｄの部分斜視図であり、図８は図７の断面図である。この三味線１００Ｄは、図１から図６で示した胴１１０とは違い、胴１１０の端面１１６および側面１１７は、緩やかな丸みを帯びており、一般的な三味線の胴の形状である。
【００４０】  図示しているように、端面１１６に連結孔１１３が形成されている。三味線１００Ｄにおいて、胴１１０と棹１２０は中木１２１を介して連結されている。
【００４１】  中木１２１の先端部１２２は、連結孔１１３に嵌通（または挿通）されているが、胴１１０の端面１１６の外部に突出していない。
【００４２】  ここでの端面１１６には、図４の三味線１１０Ｂと同様に、載置部材１５０が装着されている。この載置部材１５０の厚さ方向（三味線１００の長さ方向）の大きさは、端面１１６の出っ張りの幅の大きさと糸１３０の直径を加えた大きさと比較して、それ以上の大きさを有している。
【００４３】  図示しているものは、端面１１６の四つの隅の近傍に、それぞれ載置部材１５０を取り付けているが、載置部材１５０が３個以上あれば、安定的に載置させることが可能であり、載置部材１５０には、様々な素材・大きさ・形状が可能である。
【００４４】  図９と図１０は変形例１００Ｄにおける中木１２１の部分斜視図（拡大図）である。図示しているように、中木１２１には先端部１２２から中木１２１の外側まで貫通する糸孔１２３が形成されている。
【００４５】  図９では、糸孔１２３は斜めに伸びて中木１２１の側面まで貫通されている（突き抜けている）。
【００４６】  図１０では、糸孔１２３は中木１２１の中心線とほぼ平行に伸びており、中木１２１の溝部１２４によって形成された面まで貫通されている。
【００４７】  図示された中木１２１は丸材であるが、中木１２１は角材でも良い。糸１３０の結び目１３１が、胴１１０の内部に収納されることで美観の向上にも繋がる。
【００４８】  中木１２１の素材は、金属、プラスチック、合成樹脂、合成紙、木材など様々な種類の素材が可能である。
【００４９】  図１１は三味線の変形例１００Ｅの部分斜視図であり、図１２は図１１の断面図である。図示しているように、端面１１６に接して調整部材１６０が取り付けられており、調整部材１６０は取外し可能である。
【００５０】  調整部材１６０の素材は、金属、プラスチック、合成樹脂、合成紙、木材など様々な種類の素材が可能である。
【００５１】  三味線１００Ｅにおける調整部材１６０には、糸孔１６１と連結孔１６２が形成されている。その一方で、胴１１０には、糸孔は設けられていない。
【００５２】  三味線１００Ｅにおいて、胴１１０と棹１２０は中木１２１を介して連結されている。
中木１２１の先端部１２２は、連結孔１１３と連結孔１６２に嵌通（または挿通）されているが、調整部材１６０の外側壁部１６６の外部に突出していない。
【００５３】  外側壁部１６６は略平坦な面の形状を有しており、縦置きをすることも可能である。糸孔１６１を利用することで、糸１３０の張設または調弦を行う上で、省力化させることが可能になる。
【００５４】  また、調整部材１６０には、胴１１０の底面１１８よりも突出する突出部１６４が形成されている。図１２においては、突出部１６４は下方に出っ張っている。また、調整部材１６０の下端に、凹部１６５が形成されている。
この突出部１６４があることで、胴１１０の底面１１８と床面との距離を調整することが出来、突出部１６４が胴１１０に負荷する衝撃を吸収することで底面１１８を保護することも出来る。
【００５５】  後述するが、この凹部１６５と天神１２５の先端部を合わさることで、三味線を平置きで安定的に積み重ねることが可能になる。
【００５６】  図１３は三味線の変形例１００Ｆの部分斜視図である。三味線１００Ｆにおける調整部材１６０には、連結孔１６２が形成されている。図１１で示す三味線１００Ｅの調整部材１６０との違いは、糸孔１６１が設けられていないことである。
【００５７】  図１４は三味線の変形例１００Ｇの部分斜視図であり、図１５は図１４で示した補助部材１７０の形状を示す為に拡大させた図である。
【００５８】  図示しているように、端面１１６に接して補助部材１７０が取り付けられている。補助部材１７０は接着材等で固着されている場合もあり、取外し可能に取り付けられている場合もある。
【００５９】  図示した例では、胴１１０の端面１１６の上部に凹部があり、その凹部に合わせて、補助部材１７０が取り付けられている。
【００６０】  勿論、載置部材１５０が装着されており、載置部材１５０の厚さが、補助部材１７０の厚さよりも大きければ、端面１１６の上部に凹部を設ける必要はない。
【００６１】  補助部材１７０の素材は、金属、プラスチック、合成樹脂、合成紙、木材など様々な種類の素材が可能である。
【００６２】  補助部材１７０には、各々の糸を掛けることの出来る溝部１７１が設けられており、駒１４０と同等の高さの凸部１７２が形成されている。
【００６３】  後述するが、この凸部１７２と、天神１２５の先端部に形成された溝部１２７とを合わさることで、三味線を平置きで安定的に積み重ねることが可能になる。
【００６４】  図１６は三味線の変形例１００Ｂを縦置きさせた図である。本発明において示した三味線（変形例を含む）は、原則的に縦置きが可能であるが、図４で示した載置部材１５０を装着した三味線１００Ｂを図示している。
【００６５】  載置部材１５０があることで安定的に三味線を縦置きで収納させることが出来るが、本発明の三味線（変形例を含む）は、載置部材１５０がなくとも縦置きが可能である。
【００６６】  図１７は三味線の変形例１００Ｂを横置きさせた図である。従来の糸巻きの長さは、胴の横幅に合わせた寸法規格ではなかった為、横置きした場合に不安定な状態であった。
【００６７】  ここで示す三味線の糸巻き１８０の端面１８１は、胴１１０の側面１１７とほぼ同一平面にあり、安定的に横置きをすることが可能である。
【００６８】  ほぼ同一平面とは、僅かな凹凸があっても、三味線をほぼ水平な状態に置くことが出来るのに必要な位相状態であることを指す。
【００６９】  また、このような三味線を縦置きした場合、糸巻きがぶつかり合うことがなくなるので、従来よりも狭いスペースに効率的に収納させることが可能になる。
【００７０】  図１８は三味線の変形例１００Ｅを平置きさせた図である。従来の三味線は、積み重ねて収納することが考慮されていなかったが、ここでは平置き状態で積み重ねることを想定している。
【００７１】  図示しているように、天神１２５の先端部１２６と、調整部材１６０の凹部部１６５を係合させることで、積み重ねて収納することが可能になる。
【００７２】  図１９は三味線の変形例１００Ｇを平置きさせた図であり、図２０は図１９の右下を拡大させた図である。三味線を平置き状態で積み重ねる上での応用例を示している。
【００７３】  図示しているように、図１４〜１５で示した補助部材１７０の凸部１７２と天神１２５の溝部１２７を係合させることで、積み重ねて収納することが可能になる。
【００７４】  さらに、天神１２５に膨らみ部１２８を設け、この膨らみ部と胴１１０のサウンドホール１１４を係合させることで、より安定的に積み重ねることが可能になる。
【００７５】  図示した例には、天神１２５の溝部１２７が設けられているが、これに限定する必要はない。天神１２５の溝部１２７が形成されていない通常の三味線であっても、上乗せする三味線の天神１２５の先端部１２６を、直接的に糸１３０の上に載せれば、同様の方法で保管することが可能である。
【００７６】  また、三味線を保管する場合には、駒１４０を外すことが一般的であり、駒１４０を外した場合でも、直接的に糸１３０の上に載せれば、同様の方法で保管することが可能である。
【００７７】  図示された例では、天神１２５が曲がる部分に厚さ（ふくらみ）を持たせているが、この厚さ（ふくらみ）は必ずしも必要ではなく、この部分がスマートな形状であっても、平置きの積み重ねが可能である。
【００７８】  本発明における張設とは、演奏者が三味線の糸を奏でることが出来るように、糸の一方の端部を糸巻きに連結させ、他方の端部を胴１１０・中木１２１・調整部材１６０などに連結させることを意味し、糸１３０が多少弛緩した状態も包括している。
【符号の説明】
【００７９】１００    三味線
１１０    胴
１１１    皮
１１２    糸孔（胴）
１１３    連結孔（胴）
１１４    サウンドホール（胴）
１１５    段差（胴）
１１６    端面（胴）
１１７    側面（胴）
１１８    底面（胴）
１２０    棹
１２１    中木
１２２    先端部（中木）
１２３    糸孔（中木）
１２４    溝部（中木）
１２５    天神
１２６    先端部（天神）
１２７    溝部（天神）
１２８    膨らみ部（天神）
１３０    糸
１３１    結び目（糸）
１４０    駒
１５０    載置部材
１５１    載置部
１６０    調整部材
１６１    糸孔（調整部材）
１６２    連結孔（調整部材）
１６３    段差（調整部材）
１６４    突出部（調整部材）
１６５    凹部（調整部材）
１６６    外側壁部（調整部材）
１７０    補助部材
１７１    溝部（補助部材）
１７２    凸部（補助部材）
１８０    糸巻き
１８１    端面（糸巻き）
【図１】
2019045833.tif 000003
【図２】
2019045833.tif 000004
【図３】
2019045833.tif 000005
【図４】
2019045833.tif 000006
【図５】
2019045833.tif 000007
【図６】
2019045833.tif 000008
【図７】
2019045833.tif 000009
【図８】
2019045833.tif 000010
【図９】
2019045833.tif 000011
【図１０】
2019045833.tif 000012
【図１１】
2019045833.tif 000013
【図１２】
2019045833.tif 000014
【図１３】
2019045833.tif 000015
【図１４】
2019045833.tif 000016
【図１５】
2019045833.tif 000017
【図１６】
2019045833.tif 000018
【図１７】
2019045833.tif 000019
【図１８】
2019045833.tif 000020
【図１９】
2019045833.tif 000021
【図２０】
2019045833.tif 000022
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
棹１２０と胴１１０が連結されている三味線において、
前記胴の端面１１６に糸孔１１２が形成されており、
三味線の糸１３０が前記糸孔１１２を経由して張設されていることを
特徴とする三味線。
【請求項２】
前記端面１１６は略平坦な面であることを
特徴とする請求項１に記載の三味線。
【請求項３】
中木の先端部１２２が、
胴の端面１１６よりも内側になるように嵌合していることを
特徴とする請求項１または２に記載の三味線。
【請求項４】
直立時において床面に当接する面を平坦化する平坦化部材が
前記端面１１６に装着されていることを
特徴とする請求項１乃至３のいずれか一つに記載の三味線。
【請求項５】
前記調整部材１６０に糸孔１６１が形成されており、
三味線の糸１３０が前記糸孔１２３を経由して張設されていることを
特徴とする請求項１乃至４のいずれか一つに記載の三味線。
【請求項６】
前記中木１２１に糸孔１２３が形成されており、
三味線の糸１３０が前記糸孔１２３を経由して張設されていることを
特徴とする請求項１乃至５のいずれか一つに記載の三味線。
【請求項７】
三味線の胴の側面１１７は、
糸巻の端面１８１とほぼ同一平面上にあることを
特徴とする請求項１乃至６のいずれか一つに記載の三味線。
【請求項８】
三味線の端面１１６と糸孔１１２が形成されている面との間に、
糸の直径以上の大きさの段差１１５が設けられていることを
特徴とする請求項１乃至７のいずれか一つに記載の三味線。
【請求項９】
調整部材１６０には段差部１６３が設けられ、
前記段差部１６３に糸孔１６１が形成されており、
縦置きした時に前記糸１３０が床面に当たらないように
前記糸孔１６１が設けられていることを
特徴とする請求項１乃至８のいずれか一つに記載の三味線。
【手続補正２】
【補正対象書類名】明細書
【補正対象項目名】０００７
【補正方法】変更
【補正の内容】
【０００７】
上記の目的を達成するため、本発明は、棹１２０と胴１１０が連結されている三味線において、前記胴の端面１１６に糸孔１１２が形成されており、三味線の各々の糸が前記糸孔１１２を経由して張設されている三味線を提供する。
【手続補正３】
【補正対象書類名】明細書
【補正対象項目名】０００８
【補正方法】変更
【補正の内容】
【０００８】
三味線の縦置きが可能である三味線を提供する。
【手続補正４】
【補正対象書類名】明細書
【補正対象項目名】００３１
【補正方法】変更
【補正の内容】
【００３１】
図４は三味線の変形例１００Ｂの部分斜視図である。図示しているように、載置部材（平坦化部材の一例）１５０が、胴１１０の端面１１６に装着されている。装着とは、固着することも可能であり、着脱可能に取り付けることも可能であることを意味する。
【手続補正５】
【補正対象書類名】明細書
【補正対象項目名】００４９
【補正方法】変更
【補正の内容】
【００４９】
図１１は三味線の変形例１００Ｅの部分斜視図であり、図１２は図１１の断面図である。図示しているように、端面１１６に接して調整部材（平坦化部材の他の例）１６０が取り付けられており、調整部材１６０は取外し可能である。
【手続補正６】
【補正対象書類名】明細書
【補正対象項目名】００７９
【補正方法】変更
【補正の内容】
【００７９】
１００    三味線
１１０    胴
１１１    皮
１１２    糸孔（胴）
１１３    連結孔（胴）
１１４    サウンドホール（胴）
１１５    段差（胴）
１１６    端面（胴）
１１７    側面（胴）
１１８    底面（胴）
１２０    棹
１２１    中木
１２２    先端部（中木）
１２３    糸孔（中木）
１２４    溝部（中木）
１２５    天神
１２６    先端部（天神）
１２７    溝部（天神）
１２８    膨らみ部（天神）
１３０    糸
１３１    結び目（糸）
１４０    駒
１５０    載置部材
１５１    載置部
１６０    調整部材
１６１    糸孔（調整部材）
１６２    連結孔（調整部材）
１６３    段差部（調整部材）
１６４    突出部（調整部材）
１６５    凹部（調整部材）
１６６    外側壁部（調整部材）
１７０    補助部材
１７１    溝部（補助部材）
１７２    凸部（補助部材）
１８０    糸巻き
１８１    端面（糸巻き）
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
棹１２０と胴１１０が連結されている三味線であって、
前記三味線を縦置きする際に前記胴における床面と対向する端面１１６に糸孔１１２が形成されており、
前記三味線の糸が前記糸孔１１２を経由して張設されていることを特徴とする三味線。
【請求項２】
前記棹と前記胴とを連結するための中木１２１を備え、
前記胴の端面側には、前記中木の先端部１２２を嵌通させる連結孔１１３が形成されており、
前記中木の先端部の端面が、前記胴の端面よりも内側又は前記胴の端面と面一となるように当該先端部が前記連結孔に嵌通されていることを特徴とする請求項１に記載の三味線。
【請求項３】
棹１２０と胴１１０が連結されている三味線であって、
前記棹と前記胴とを連結するための中木１２１を備え、
前記三味線を縦置きする際に前記胴における床面と対向する端面１１６の側に形成された連結孔１１３に、前記中木の先端部１２２が嵌通させれており、
前記中木の先端部１２２には糸孔１２３が形成されており、
前記三味線の糸が前記糸孔１２３を経由して張設されていることを特徴とする三味線。
【請求項４】
前記胴の端面には、前記三味線を縦置きする際に床面に当接する複数の載置部材１５０が装着されていることを特徴とする請求項１乃至３のいずれか一項に記載の三味線。
【請求項５】
前記胴の端面が平坦であることを特徴とする請求項１乃至４のいずれか一項に記載の三味線。
【請求項６】
棹１２０と胴１１０が連結されている三味線であって、
前記三味線を縦置きする際に前記胴における床面と対向する端面１１６に平坦化部材が装着されていることを特徴とする三味線。
【請求項７】
前記平坦化部材は、前記床面に当接する複数の載置部材１５０であることを特徴とする請求項６に記載の三味線。
【請求項８】
前記平坦化部材は、前記床面に当接する平坦面を備えた調整部材１６０であることを特徴とする請求項６に記載の三味線。
【請求項９】
前記調整部材は、前記平坦面よりも前記胴側に凹んだ段差部１６３を備え、
前記段差部に糸孔１６１が形成されており、
前記糸孔を経由して糸が張設されていることを特徴とする請求項８に記載の三味線。
【請求項１０】
前記胴の端面と前記糸孔１１２が形成されている面との間に、
糸の直径以上の大きさの段差１１５が設けられていることを
特徴とする請求項１乃至９のいずれか一項に記載の三味線。
【請求項１１】
前記三味線を横置きする際に前記胴における床面と対向する側面１１７と、
糸巻き１８０の端面１８１とが略同一面であることを特徴とする請求項１乃至１０のいずれか一項に記載の三味線。